(57)【特許請求の範囲】
【請求項１】
複層階の建築物の上下階の外壁に、同じ幅の開口がそれらの両側辺が上下で揃うように設けられている建築物において、前記開口の両側辺と上下に通る目地部が形成されるように外壁パネル同士が取り付けられており、それらの目地部間に、下階の開口の上辺と上階の開口の下辺とを結ぶ化粧パネルが前記外壁パネルを覆うように設けられているとともに、
前記外壁パネル同士が柱正面に当接し、その外壁パネル同士は上下に通る目地部が柱正面に形成されるように柱に固着されており、前記化粧パネルがその両側端部に固着部を有しており、その固着部が前記目地部に挿入され、表面から締結材を用いて前記柱に固着されていることを特徴とする建築物。
【発明の詳細な説明】
【０００１】
【発明の属する技術分野】
本発明は、外壁に化粧パネルを備えた建築物に関する。
【０００２】
【従来の技術】
従来、外壁に取付部材を取り付けた外壁構造としては、例えば特開昭６４−４３６３５号公報において、軽量鉄骨造の建築物の２本の柱にそれぞれブラケットを取り付け、それらのブラケットにバルコニー（取付部材）をボルトで固定する外壁構造が記載されている。
【０００３】
また、実開平２−１０１９９１号公報において、外壁の開口に下地枠を介して開口サッシを設け、その周縁に下地枠と開口サッシに跨がる化粧カバーを取り付けた外壁構造が記載されている。
【０００４】
また、従来の建築物は、例えば図６に示すように、基礎１の上に建設され、外壁２には、一階と二階とにベイウインドウ４１と両開き窓４３と片開き窓４２とがそれぞれ設けられている。また、建築物Ｓの下屋と２階の屋根部にはパラペット３が取り付けられている。
一階と二階とに設けられた同じ幅の、二組のベイウインドウ４１，４１と両開き窓４３，４３と片開き窓４２，４２は、それらの両側辺が上下で揃うように設けられており、それらの両側辺と上下に通る目地部２１ａ，２１ａ，・・が形成されるように外壁パネル２１同士が取り付けられており、まとまりのある外観になるように工夫されている。
【０００５】
また、図７に示すように、外壁２の一階部分には片開き窓４２ａ，４２ｂ，４２ｃ，４２ｄ，４２ｄが設けられている。また、２階部分には、片開き窓４２ａ，４２ｂ，４２ｄ，４２ｄが設けられている。ここで、一階と二階とに設けられた同じ幅の片開き窓４２ａ，４２ａと片開き窓４２ｂ，４２ｂと二組の片開き窓４２ｄ，４２ｄとは、それらの両側辺が上下で揃うように設けられており、それらの両側辺と上下に通る目地部２１ａ，２１ａ，・・が形成されるように外壁パネル２１同士が取り付けられており、まとまりのある外観になるように工夫されている。
【０００６】
【発明が解決しようとする課題】
しかしながら、上記特開昭６４−４３６３５号公報における外壁構造の場合、ブラケットを柱に直接取り付けるため、外壁の表面に外壁パネルを用いた場合、ブラケットを取り付ける位置の外壁パネルを切り欠く必要があった。
また、ブラケットを外壁パネルを介して柱に取り付けたのでは、ブラケットに作用する力により、外壁パネルが損傷する危険があった。さらに、ブラケットを柱に取り付けるためには、外壁パネルにボルト挿通孔のような貫通孔を設ける必要があり、雨仕舞いのために別途工事が必要となっていた。
【０００７】
また、上記実開平２−１０１９９１号公報における外壁構造の場合、化粧カバーを下地枠と開口サッシの両方に取る付けるため、多くの作業工数を必要としていた。
【０００８】
また、上記建築物においては、単に上下の窓の両側辺を上下でそろえただけなので、外観の統一感が不十分であった。特に、図７のように、小さな窓が多数設けられた場合には、統一感を得るのが困難であった。
【０００９】
本発明は上述の問題点に鑑みてなされたものであって、外観に統一感のある建築物を提供することを目的としている。
【００１５】
【課題を解決するための手段】
上記目的を達成するため、請求項１記載の発明は、複層階の建築物の上下階の外壁に、同じ幅の開口がそれらの両側辺が上下で揃うように設けられている建築物において、前記開口の両側辺と上下に通る目地部が形成されるように外壁パネル同士が取り付けられており、それらの目地部間に、下階の開口の上辺と上階の開口の下辺とを結ぶ化粧パネルが前記外壁パネルを覆うように設けられているとともに、前記外壁パネル同士が柱正面に当接し、その外壁パネル同士は上下に通る目地部が柱正面に形成されるように柱に固着されており、前記化粧パネルがその両側端部に固着部を有しており、その固着部が前記目地部に挿入され、表面から締結材を用いて前記柱に固着されていることを特徴とする建築物である。
【００２１】
【作用】
請求項１記載の発明の建築物においては、開口の両側辺と上下に通る目地部が形成されるように外壁パネル同士が取り付けられており、それらの目地部間に、下階の開口の上辺と上階の開口の下辺とを結ぶ化粧パネルが前記外壁パネルを覆うように設けられている。従って、上下階に設けられた開口を一体的に見えるようにすることができる。
【００２２】
また、外壁パネル同士が柱正面に当接し、その外壁パネル同士は上下に通る目地部が柱正面に形成されるように柱に固着されており、化粧パネルがその両側端部に固着部を有しており、その固着部が目地部に挿入され、表面から締結材を用いて固着部が柱に固着されている。従って、外壁パネルに特別な加工をすることなく、幅の広い化粧パネルを柱に直接取り付けることができる。
【００２３】
【発明の実施の形態】
以下、本発明の実施の形態を実施例にもとづき図面を参照して説明する。
図１は本発明の建築物の実施例を示す正面図、図２は本発明の建築物の他の実施例を示す正面図である。
【００２４】
図１において、建築物Ｓは、基礎１の上に建設されている。外壁２には、一階と二階とにベイウインドウ４１，４１と両開き窓４３と片開き窓４２とがそれぞれ設けられている。これらの窓の窓枠はダークグレイとされている。
また、建築物Ｓの下屋と２階の屋根部にはパラペット３が取り付けられている。
一階と二階とに設けられた同じ幅の、二組のベイウインドウ４１，４１と両開き窓４３，４３と片開き窓４２，４２は、それらの両側辺が上下で揃うように設けられており、それらの両側辺と上下に通る目地部２１ａ，２１ａ，・・が形成されるように外壁パネル２１同士が取り付けられている。
【００２５】
ベイウインドウ４１，４１の両側辺と上下に通る目地部２１ａ，２１ａ間に化粧パネル５ａ，５ａ，・・・が設けられており、二階のベイウインドウ４１の上辺からパラペット３の下辺までとベイウインドウ４１，４１間と一階のベイウインドウ４１の下辺から基礎１の上辺までの外壁パネル２１を覆っている。化粧パネル５ａの色はベイウインドウ４１の窓枠と同色とされている。
【００２６】
以上のように、上下階に設けられた窓の窓枠と化粧パネルとが一体的に見えるようにすることができるので、意匠的に統一感のある建築物Ｓとすることができる。
【００２７】
図２は本発明の建築物の他の実施例を示す正面図である。
外壁２の一階部分には片開き窓４２ａ，４２ｂ，４２ｃ，４２ｄ，４２ｄが設けられている。また、２階部分には、片開き窓４２ａ，４２ｂ，４２ｄ，４２ｄが設けられている。ここで、一階と二階とに設けられた同じ幅の片開き窓４２ａ，４２ａと片開き窓４２ｂ，４２ｂと二組の片開き窓４２ｄ，４２ｄとは、それらの両側辺が上下で揃うように設けられており、それらの両側辺と上下に通る目地部２１ａ，２１ａ，・・が形成されるように外壁パネル２１同士が取り付けられている。また、それらの目地部２１ａ，２１ａ間に化粧パネル５ａ，５ｂ，・・・が設けられており、二階の各窓の上辺からパラペット３の下辺までと各窓間と一階の窓の下辺から基礎１の上辺までの外壁パネル２１を覆っている。
【００２８】
以上のように、特に小さい窓が多く設けられている場合には、上下階に設けられた窓の窓枠と化粧パネルとが一体的に見えるようにすると、特に、意匠的に統一感のある建築物Ｓとするのに効果的である。
【００２９】
図３は本発明の図１の建築物Ｓの外壁構造を示す水平断面図である。
建築物Ｓの外壁は、外縁部に鋼製の角パイプからなるフレーム２２を固着した木片セメント板製の外壁パネル２１が形鋼からなる柱２３に固着されて形成されている。この外壁パネル２１同士は、図１に示す上下に通る目地部２１ａが柱２３の正面に形成されるように柱２３に固着されている。外壁パネル２１の室内側には、間柱６３に石膏ボード６１を固着した内壁が設けられている。
【００３０】
化粧パネル（取付部材）５ａは、化粧板５１と化粧板５１の両側端部の脚部５２及び固着部５３とから形成されており、水平断面の外形がベイウインドウ４１の水平断面形状と同一となるように、凸形状に形成されている。化粧パネル５ａは外壁パネル２１を跨ぐように設けられており、その固着部５３，５３が上記目地部２１ａ，２１ａに挿入され、表面からタッピングビス（締結材）８を用いて柱２３の正面に固着されている。
外壁パネル２１ａと化粧パネル５ａの脚部５２の外面とで形成された目地部２１ａには合成ゴム製のガスケット７が設けられ、雨仕舞いと化粧がなされている。
【００３１】
以上のように、本発明の外壁構造によれば、外壁パネル２１に特別な加工をすることなく、幅の広い化粧パネル５ａを柱２３に直接取り付けることができる。つまり、雨仕舞い性能を悪くすることなく、幅の広い化粧パネル５ａを外壁に取り付けることができ、意匠的に統一感のある建築物Ｓとすることができる。
【００３２】
図４は本発明の他の外壁構造を示す水平断面図、図５は図４の縦断面図である。
図４に示すように、複数の外壁パネル２１が柱２３に固着されている。図１に示すように、それらの外壁パネル２１によって、形成された開口に片開き窓（開口）４２が設けられている。外壁パネル２１同士は、上下に通る目地部２１ａが形成されるように柱２３に固着されている。片開き窓４２の開口サッシ４２Ａの縦枠４２２に目地形成部材４２１がビス８，８，・・で取り付けられており、外壁パネル２１と目地形成部材４２１とで形成される目地部２１ａが、外壁パネル２１，２１間の目地部２１ａと上下に通るようになされている。また、目地部２１ａにはガスケット７が設けられている。
【００３３】
片開き窓４２の室内側には、間柱６３に石膏ボード６１を固着した内壁が設けられている。また、開口サッシ４２Ａの室内側には窓枠４２ｂが設けられており、その窓枠４２ｂの周囲には合板６２が間柱に固着して設けられている。
【００３４】
図５に示すように、片開き窓４２の上下には外壁パネル２１が設けられている。外壁パネル２１と開口サッシ４２Ａの上枠と下枠には目地形成部材４２１がビス８，８，・・で取り付けられており、それらの間には水切り２５，２５が取り付けられている。また、開口サッシ４２Ａの上下には補強Ｌアングル２４，２４が設けられている。
開口サッシ４２Ａの室内側には上側に窓枠４２ｂが設けられており、下側には窓台４２ｃが設けられている。その窓枠４２ｂと窓台４２ｃの周囲には合板６２が横桟６４に固着してもうけられている。
【００３５】
本発明の外壁構造によれば、仕様の異なる開口サッシであっても、同様な目地部２１ａが形成でき、目地部２１ａの処理を同じ仕様とすることができる。つまり、種々の開口サッシを同様な作業手順で取り付けることができる。
【００３６】
以上、本発明の実施例を図面により説明したが、本発明の具体的構成はこの実施例に限られるものではなく、本発明の要旨を逸脱しない範囲の設計の変更等があっても本発明に含まれる。
【００３７】
例えば、化粧パネルの水平面断面形状は凸状ではなく平面状であってもよい。また、取付部材は、窓のない部分に取り付けてもよいし、窓の上や下だけに取り付けてもよい。
また、化粧パネルの水平断面形状を凸状として、化粧パネルに換気扇を組み込んでもよい。
また、窓枠と化粧パネルの色は同色とせずに、どちらかの色を濃くしてもよいし、色相や彩度を違うものにしてもよい。外壁をタイル模様のように濃淡のあるものとし、化粧パネルを単色で外壁と違う色にすることも効果的である。
【００４２】
【発明の効果】
請求項１記載の発明の建築物においては、上下階に設けられた開口を一体的に見えるようにすることができるので、意匠的に統一感のある建築物とすることができる。
【００４３】
また、外壁パネルに特別な加工をすることなく、幅の広い化粧パネルを柱に直接取り付けることができる。つまり、雨仕舞い性能を悪くすることなく、意匠的に統一感のある建築物とすることができる。
【図面の簡単な説明】
【図１】本発明の建築物の実施例を示す正面図である。
【図２】本発明の建築物の他の実施例を示す正面図である。
【図３】図１の建築物の外壁構造を示す水平断面図である。
【図４】本発明の他の外壁構造を示す縦断面図である。
【図５】図４の外壁構造のを示す水平断面図である。
【図６】従来の建築物を示す正面図である。
【図７】従来の他の建築物を示す正面図である。
【符号の説明】
Ｓ        建築物
２１      外壁パネル
２１ａ    目地部
２３      柱
４１      ベイウインドウ（開口）
４２，４２ａ，４２ｂ，４２ｃ，４２ｄ  片開き窓（開口）
４２Ａ    サッシ
４２１    目地形成部材
４２２    縦枠
４３      両開き窓（開口）
５ａ，５ｂ  化粧パネル（取付部材）
５３      固着部
８        タッピングビス（締結部材）
【図１】
0004465086.tif 000002
【図２】
0004465086.tif 000003
【図３】
0004465086.tif 000004
【図４】
0004465086.tif 000005
【図５】
0004465086.tif 000006
【図６】
0004465086.tif 000007
【図７】
0004465086.tif 000008